(57)【要約】【課題】マルチビューディスプレイを利用した場合において、閲覧者の位置に応じた最適な方向に広告を出力し得る、広告配信システム、広告配信装置、広告配信方法、及びプログラムを提供する。【解決手段】広告配信システム１０は、複数の出力方向それぞれに向けて異なる画像を表示可能なマルチビューディスプレイ１と、マルチビューディスプレイ１の周辺に存在する人物を撮影する撮影装置２と、広告配信装置３とを備えている。広告配信装置３は、撮影装置２によって得られた撮影画像から特定される人物の位置に基づいて、人物に対応した出力方向を特定する。マルチビューディスプレイ１は、広告配信装置３が特定した出力方法に向けて広告を表示する。【選択図】図１
2012181328.tif 000002
【特許請求の範囲】
【請求項１】
複数の出力方向それぞれに向けて異なる画像を表示可能なマルチビューディスプレイと、前記マルチビューディスプレイの周辺に存在する人物を撮影する撮影装置と、広告配信装置とを備え、
前記広告配信装置は、前記撮影装置によって得られた撮影画像から特定される前記人物の位置に基づいて、前記人物に対応した前記出力方向を特定し、
前記マルチビューディスプレイは、前記広告配信装置が特定した出力方法に向けて広告を表示する、
ことを特徴とする広告配信システム。
【請求項２】
前記広告配信装置が、更に、前記撮影装置によって得られた撮影画像から特定される前記人物の特徴に基づいて、予め用意されている広告の中から、前記人物に対応する広告を特定し、
前記マルチビューディスプレイが、前記広告配信装置が特定した出力方法に向けて、前記広告配信装置が特定した前記広告を表示する、
請求項１に記載の広告配信システム。
【請求項３】
撮影された前記人物が複数人である場合に、
前記広告配信装置が、人物毎に、前記出力方向及び前記広告を特定し、
前記マルチビューディスプレイが、前記広告配信装置が特定した各出力方法に向けて、前記広告配信装置が特定した各広告を表示する、
請求項２に記載の広告配信システム。
【請求項４】
当該広告配信システムが、複数の撮影装置を備え、
前記複数の撮影装置は、それぞれ、異なる位置に存在する前記人物を撮影可能に配置されており、
前記広告配信装置が、前記複数の撮影装置の中から、前記人物の撮影を行った撮影装置を特定し、特定した撮影装置に基づいて、前記人物に対応した前記出力方向を特定する、
請求項１から３のいずれかに記載の広告配信システム。
【請求項５】
複数の出力方向それぞれに向けて異なる画像を表示可能なマルチビューディスプレイに広告を配信する、広告配信装置であって、
前記マルチビューディスプレイの画面を閲覧する人物の撮影画像から特定される前記人物の位置に基づいて、前記人物に対応した前記出力方向を特定する、出力方向特定部と、
前記マルチビューディスプレイに、特定した前記出力方向を特定する出力方向データを送信する、広告配信部と、
を備えている、ことを特徴とする広告配信装置。
【請求項６】
複数の出力方向それぞれに向けて異なる画像を表示可能なマルチビューディスプレイに広告を配信するための、広告配信方法であって、
（ａ）前記マルチビューディスプレイの画面を閲覧する人物の撮影画像から特定される前記人物の位置に基づいて、前記人物に対応した前記出力方向を特定する、ステップと、
（ｂ）前記マルチビューディスプレイに、前記（ａ）のステップで特定した前記出力方向を特定する出力方向データを送信する、ステップと、
を有する、ことを特徴とする広告配信方法。
【請求項７】
コンピュータによって、複数の出力方向それぞれに向けて異なる画像を表示可能なマルチビューディスプレイに広告を配信するための、プログラムであって、
前記コンピュータに、
（ａ）前記マルチビューディスプレイの画面を閲覧する人物の撮影画像から特定される前記人物の位置に基づいて、前記人物に対応した前記出力方向を特定する、ステップと、
（ｂ）前記マルチビューディスプレイに、前記（ａ）のステップで特定した前記出力方向を特定する出力方向データを送信する、ステップと、
を実行させるプログラム。
【発明の詳細な説明】
【技術分野】
【０００１】
本発明は、デジタルサイネージを実現するための、広告配信システム、広告配信装置、広告配信方法、及びプログラムに関する。
【背景技術】
【０００２】
近年、広告配信システムとして、広告閲覧者の特徴情報を抽出することで、蓄積された広告データの中から、広告閲覧者にとって広告効果の高い広告を予測し、予測した広告を広告出力媒体へ出力させるシステムが提案されている。例えば、特許文献１は、このような広告閲覧者の特徴情報を用いた広告配信システムの一例を開示している。
【０００３】
特許文献１に開示された広告配信システムは、ユーザの顔特徴情報を元に、ユーザ情報処理端末へ広告効果の高い広告データを配信するシステムであり、広告配信装置と、ユーザ情報処理端末とを備えている。
【０００４】
このうち、広告配信装置は、顔画像取得部と、顔特徴情報からユーザ属性情報を特定するユーザ認証部と、広告抽出部と、広告配信部とを備えている。また、ユーザ情報処理端末は、カメラ部と、表示部とを備えている。
【０００５】
そして、ユーザ情報処理端末は、カメラ部でユーザ（広告閲覧者）の顔画像を撮影し、撮影した顔画像情報を広告配信装置へ送信する。これにより、広告配信装置は、受け取った顔画像情報を元に、顔特徴対応テーブルからユーザ属性を取得し、取得したユーザ属性に基づいて、撮影したユーザに対応した広告データを抽出する。その後、広告発信装置は、抽出した広告データを、ユーザ情報処理端末に送信する。これにより、ユーザ情報処理端末の表示部には、抽出された広告データが表示される。
【０００６】
また、近年においては、マルチビューディスプレイが開発されている。マルチビューディスプレイは、内容の異なる２つ以上の画像データをそれぞれ異なる方向に出力させることが可能な出力装置である（例えば、特許文献２参照。）。従って、特許文献１に開示された広告配信システムにおいて、ユーザ情報処理端末の表示部としてマルチビューディスプレイを用いれば、更なる広告効果が期待できる。
【先行技術文献】
【特許文献】
【０００７】
【特許文献１】特開２００９−１８６６３０号公報
【特許文献２】特開２００５‐０７８０７８号広報
【発明の概要】
【発明が解決しようとする課題】
【０００８】
しかしながら、特許文献１に開示された広告配信システムにおいて、ユーザ情報処理端末の表示部としてマルチビューディスプレイを用いた場合は、広告効果の高い広告データを、広告閲覧者が見ている出力方向へ向けて表示させることができない、という問題が発生する。その理由は、特許文献１に開示された広告配信システムでは、マルチビューディスプレイの使用が考慮されておらず、広告閲覧者の位置情報が取得されないため、広告閲覧者がマルチビューディスプレイのどの出力方向から閲覧しているかを判断できないことにある。
【０００９】
本発明の目的の一例は、上記問題を解消し、マルチビューディスプレイを利用した場合において、閲覧者の位置に応じた最適な方向に広告を出力し得る、広告配信システム、広告配信装置、広告配信方法、及びプログラムを提供することにある。
【課題を解決するための手段】
【００１０】
上記目的を達成するため、本発明の一側面における広告配信システムは、複数の出力方向それぞれに向けて異なる画像を表示可能なマルチビューディスプレイと、前記マルチビューディスプレイの周辺に存在する人物を撮影する撮影装置と、広告配信装置とを備え、
前記広告配信装置は、前記撮影装置によって得られた撮影画像から特定される前記人物の位置に基づいて、前記人物に対応した前記出力方向を特定し、
前記マルチビューディスプレイは、前記広告配信装置が特定した出力方法に向けて広告を表示する、ことを特徴とする
【００１１】
上記目的を達成するため、本発明の一側面における広告配信装置は、複数の出力方向それぞれに向けて異なる画像を表示可能なマルチビューディスプレイに広告を配信する、広告配信装置であって、
前記マルチビューディスプレイの画面を閲覧する人物の撮影画像から特定される前記人物の位置に基づいて、前記人物に対応した前記出力方向を特定する、出力方向特定部と、
前記マルチビューディスプレイに、特定した前記出力方向を特定する出力方向データを送信する、広告配信部と、
を備えている、ことを特徴とする。
【００１２】
また、上記目的を達成するため、本発明の一側面における広告配信方法は、複数の出力方向それぞれに向けて異なる画像を表示可能なマルチビューディスプレイに広告を配信するための、広告配信方法であって、
（ａ）前記マルチビューディスプレイの画面を閲覧する人物の撮影画像から特定される前記人物の位置に基づいて、前記人物に対応した前記出力方向を特定する、ステップと、
（ｂ）前記マルチビューディスプレイに、前記（ａ）のステップで特定した前記出力方向を特定する出力方向データを送信する、ステップと、
を有する、ことを特徴とする。
【００１３】
更に、上記目的を達成するため、本発明の一側面におけるプログラムは、コンピュータによって、複数の出力方向それぞれに向けて異なる画像を表示可能なマルチビューディスプレイに広告を配信するための、プログラムであって、
前記コンピュータに、
（ａ）前記マルチビューディスプレイの画面を閲覧する人物の撮影画像から特定される前記人物の位置に基づいて、前記人物に対応した前記出力方向を特定する、ステップと、
（ｂ）前記マルチビューディスプレイに、前記（ａ）のステップで特定した前記出力方向を特定する出力方向データを送信する、ステップと、
を実行させることを特徴とする。
【発明の効果】
【００１４】
以上のように、本発明における、広告配信システム、広告配信装置、広告配信方法、及びプログラムによれば、マルチビューディスプレイを利用した場合において、閲覧者の位置に応じた最適な方向に広告を出力することができる。
【図面の簡単な説明】
【００１５】
【図１】図１は、本発明の実施の形態１における広告配信システムの構成を示すブロック図である。
【図２】図２は、本発明の実施の形態１における広告配信システムの動作を示すフロー図である。
【図３】図３は、本発明の実施の形態１における広告配信システムの動作の具体例を説明する説明図である。
【図４】図４は、本発明の実施の形態２における広告配信システムの構成を示すブロック図である。
【図５】図５は、本発明の実施の形態２における広告配信システムの動作を示すフロー図である。
【図６】図６は、本発明の実施の形態２における広告配信システムの動作の具体例を説明する説明図である。
【図７】図７は、本発明の実施の形態１または２における広告配信装置を実現するコンピュータの一例を示すブロック図である。
【発明を実施するための形態】
【００１６】
（実施の形態１）
以下、本発明の実施の形態１における、広告配信システム、広告配信装置、広告配信方法、及びプログラムについて、図１〜図３を参照しながら説明する。
【００１７】
［システム構成］
最初に、図１を用いて、本実施の形態１における、広告配信システム１０、及び広告配信装置３の構成について説明する。図１は、本発明の実施の形態１における広告配信システムの構成を示すブロック図である。
【００１８】
図１に示すように、本実施の形態における広告配信システム１０は、マルチビューディスプレイ１と、撮像装置２と、広告配信装置３とを備えている。マルチビューディスプレイ１は、複数の出力方向それぞれに向けて異なる画像を表示可能な表示装置である。撮像装置２は、マルチビューディスプレイ１の周辺に存在する人物、即ち、その画面を閲覧（または閲覧しようと）する人物を撮影する装置であり、人物の撮影画像を広告配信装置３に送信する。
【００１９】
広告配信装置３は、撮影画像を解析して広告を配信する装置であり、位置特定部３２と、出力方向特定部３３と、広告配信部３６とを備えている。位置特定部３２は、人物の撮影画像からその人物の位置を特定する。出力方向特定部３３は、特定された人物の位置に基づいて、人物に対応した出力方向を特定する。広告配信部３６は、マルチビューディスプレイ１に、特定した出力方向を特定する出力方向データを送信する。
【００２０】
そして、広告配信装置３が出力方向データを送信すると、マルチビューディスプレイ１は、これを受信し、特定された出力方法に向けて広告を表示する。このように、本実施の形態における広告配信システム１０では、広告周辺にいる人物の位置を特定し、マルチビューディスプレイ１の機能を利用して、特定した位置へ向けて広告を表示することができる。従って、広告配信システム１０によれば、広告周辺の人物の位置に応じた最適な方向に広告を出力することができる。
【００２１】
ここで、本実施の形態における広告配信システム１０及び広告配信装置３の構成について更に具体的に説明する。本実施の形態では、図１に示すように、マルチビューディスプレイ１は、広告受信部１１と、広告出力部１２とを備えている。
【００２２】
広告受信部１１は、広告配信装置３の広告配信部３６から、出力方向データを受信し、これを広告出力部１２に入力する。また、本実施の形態では、後述するように、広告受信部１１は、広告配信部３６から、広告データも受信し、広告出力部１２に出力する。
【００２３】
広告出力部１２は、広告受信部１１が出力した広告データを、出力方向データで特定される出力方向に向けて表示する。具体的には、広告出力部１２としては、画面に向かって右側と左側とで異なる画像を表示することができる液晶表示パネルが挙げられる（特許文献２参照）。
【００２４】
また、本実施の形態１では、撮影装置２は、画像撮影部２１と、画像送信部２２とを備える。画像撮影部２１は、広告閲覧者を撮影し、得られた撮影画像を画像送信部２２に入力する。画像撮影部２１は、例えば、光学レンズと、ＣＣＤ等の固体撮像素子と、その駆動回路等によって構成される。画像送信部２２は、画像撮影部２１から出力された撮影画像を、広告配信装置３へと送信する。
【００２５】
本実施の形態１では、広告配信装置３は、位置特定部３２、出力方向特定部３３、及び広告配信部３６に加えて、画像受信部３１と、特徴特定部３４と、広告特定部３５と、出力方向対応テーブル３３１と、広告データベース３５１とを備えている。
【００２６】
このうち、画像受信部３１は、撮影装置２から送信されてきた撮影画像を受信する。また、画像受信部３１は、受信した撮影画像を、位置特定部３２及び特徴特定部３４それぞれに入力する。
【００２７】
また、本実施の形態１では、位置特定部３２は、画像受信部３１から入力された撮影画像を解析し、広告を閲覧する人物が撮影画像内のどの位置にいるかを特定し、特定した位置のデータ（位置情報）を出力方向特定部３３に入力する。
【００２８】
そして、出力方向特定部３３は、位置特定部３２が入力した位置情報と出力方向対応テーブル３３１とを用いて、出力方向を特定する。具体的には、出力方向対応テーブル３３１は、マルチビューディスプレイ１が画像を表示することができる出力方向と、各出力方向対応付けられた位置情報とを予め登録している。従って、出力方向特定部３３は、位置情報を出力方向対応テーブル３３１に照合することによって、出力方向を特定する。
【００２９】
特徴特定部３４は、撮影装置２によって得られた撮影画像から人物の特徴を特定する。具体的には、特徴特定部３４は、撮影画像を解析して、撮影された人物の、性別、年齢、服装といった特徴を抽出し、抽出した特徴を特定する特徴情報を生成する。また、特徴特定部３４は、生成した特徴情報を広告特定部３５に入力する。なお、本実施の形態１において、人物の特徴の抽出には、既存の技術を利用することができる。
【００３０】
また、広告特定部３５は、特定された人物の特徴（特徴情報）に基づいて、広告データベース３５１に予め用意されている広告の中から、特定された人物に対応する広告を特定する。具体的には、広告データベース３５１には、複数の広告のデータ（動画、静止画等）が、各特徴情報に対応付けられた状態で予め登録されている。よって、広告特定部３５は、特徴特定部３４から受け取った特徴情報を、広告データベース３５１に照合することによって、特定された人物に対応する広告データを特定する。
【００３１】
また、本実施の形態１では、広告配信部３６は、出力方向データに加え、広告特定部３５が特定した広告データもマルチビューディスプレイ１に送信する。この結果、マルチビューディスプレイ１は、撮影された人物に向けて、その人物に最適な広告を表示することができる。
【００３２】
次に、本発明の実施の形態１における広告配信システム１０の動作について図２を用いて説明する。図２は、本発明の実施の形態１における広告配信システムの動作を示すフロー図である。また、以下の説明においては、適宜図１を参酌する。また、本実施の形態１では、広告配信システムを動作させることによって、広告配信方法が実施される。よって、本実施の形態１における広告配信方法の説明は、以下の広告配信システム１０の動作説明に代える。
【００３３】
図２に示すように、まず、撮影装置２の画像撮影部２１が、広告の周辺に存在する人物を撮影する（ステップＡ１）。そして、画像撮影部２１は、撮影画像を画像送信部２２に入力する。次に、画像送信部２２は、撮影画像を広告配信装置３に送信する（ステップＡ２）。
【００３４】
ステップＡ２が実行されると、広告配信装置３において、画像受信部３１が、撮影画像を受信する（ステップＡ３）。また、画像受信部３１は、受信した撮影画像を、位置特定部３２及び特徴特定部３４それぞれに入力する。
【００３５】
次に、位置特定部３２が、撮影画像から撮影された人物の位置を特定する（ステップＡ４）。そして、出力方向特定部３３が、特定された人物の位置に基づいて、出力方向対応テーブル３３１を用いて広告の出力方向を特定する（ステップＡ５）。また、出力方向特定部３３は、出力方向を特定する出力方向データを生成し、これを広告配信部３６に入力する。
【００３６】
また、ステップＡ４と並行して、特徴特定部３４が、撮影画像から撮影された人物の特徴を特定する（ステップＡ６）。そして、広告特定部３５が、特定された人物の特徴に基づいて、広告データベース３５１から対応する広告を特定し、その広告データを取得する（ステップＡ７）。
【００３７】
なお、図２の例では、ステップＡ６及びＡ７は、ステップＡ４及びＡ５と並行して実行されているが、これに限定されるものではなく、ステップＡ６及びＡ７は、ステップＡ４及びＡ５の実行後、または実行前に実行されていても良い。
【００３８】
次に、広告配信部３６は、ステップＡ７で取得した広告データと、ステップＡ５で生成した出力方向データとを、マルチビューディスプレイ１に送信する（ステップＡ８）。
【００３９】
ステップＡ８が実行されると、マルチビューディスプレイ１の広告受信部１１が、広告データと出力方向データとを受信する（ステップＡ９）。そして、広告出力部１２は、受信した広告データの広告画像を、受信した出力方向データが特定する出力方向に向けて、表示する（ステップＡ１０）。
【００４０】
ここで、図３を用いて、本実施の形態１における広告配信システム１０の動作について更に具体的に説明する。図３は、本発明の実施の形態１における広告配信システムの動作の具体例を説明する説明図である。
【００４１】
図３に示すように、例えば、デュアルビューディスプレイ１が、出力方向Ｖ１と出力方向Ｖ２とに対して、それぞれ異なった広告を出力することが可能である場合、出力方向Ｖ１に出力された広告を閲覧することができるエリアを閲覧エリアＡ１とし、出力方向Ｖ２に出力された広告を閲覧することができるエリアを閲覧エリアＡ２とする。
【００４２】
このとき、出力方向Ｖ１の位置に男性会社員が存在し、出力方向Ｖ２の位置に女子学生が存在しているとする。位置特定部３２は、男性会社員の位置を閲覧エリアＡ１と特定し、女子学生の位置を閲覧エリアＡ２と特定する。そして、出力方向特定部３３は、それぞれの位置に対応した出力方向を特定する。ここでは、出力方向特定部３３は、閲覧エリアＡ１に対応した出力方向Ｖ１と、閲覧エリアＡ２に対応した出力方向Ｖ２とをそれぞれ特定する。
【００４３】
また、図３の例では、特徴特定部３４は、男性会社員を表す特徴情報と、女子学生を表す特徴情報とを取得している。広告特定部３５は、広告データベース３５１から、それぞれの特徴情報に対応した広告データを取得する。ここでは、広告特定部３５は、男性会社員の特徴情報に対応した広告データとして、住宅ローンに関する広告データを取得し、女子学生の特徴情報に対応した広告データとして、レディースファッションに関する広告データを取得する。
【００４４】
広告配信部３６は、取得された各広告データ及び各出力方向データを、マルチビューディスプレイ１に送信する。これにより、マルチビューディスプレイ１は、受信した出力方向データが特定する各出力方向に対して、受け取った広告データの広告画像を表示する。図３の例では、マルチビューディスプレイ１は、出力方向Ｖ１に向けて、住宅ローンの広告を表示し、出力方向Ｖ２に向けて、レディースファッションの広告を表示する。
【００４５】
また、本発明の実施の形態１におけるプログラムは、コンピュータに、図２に示すステップＡ３〜Ａ８を実行させるプログラムであれば良い。このプログラムをコンピュータにインストールし、実行することによって、本実施の形態１における広告配信装置３を実現することができる。この場合、コンピュータのＣＰＵ（Central Processing Unit）は、画像受信部３１、位置特定部３２、出力方向特定部３３、特徴特定部３４、広告特定部３５、及び広告配信部３６として機能し、処理を行なう。また、コンピュータに備えられたハードディスク等の記憶装置に、広告データベース３５１及び出力方向対応テーブル３３１が構築される。
【００４６】
［実施の形態１による効果］
以上のように、本実施の形態１によれば、広告の周辺に存在する人物の位置を特定できるため、マルチビューディスプレイのどの出力方向に広告を表示すべきかを特定できる。この結果、広告出力媒体としてマルチビューディスプレイを使用した場合に、広告を閲覧している人物（または広告を閲覧しようとする人物）の位置に応じて、広告を表示することができる。
【００４７】
また、マルチビューディスプレイを想定していない、従来からの広告配信システムでは、広告の周辺に複数の人物が存在していても、一人に対してしか、広告効果の高い広告を配信できないという問題がある。これは、従来からの広告配信システムでは、広告の周辺に複数人がいる場を想定しておらず、特徴情報の抽出が、一人のみに限定して行われているからである。
【００４８】
これに対して、本実施の形態１では、異なる位置に複数の人物が存在する場合であっても、人物毎に特徴を特定でき、そして、各人物に適切な広告を別々に特定できる。このため、広告の周辺に複数の人物が存在している場合は、各人物の特徴に適した広告を、各人物それぞれに向けて配信することができる。
【００４９】
（実施の形態２）
次に、本発明の実施の形態２における、広告配信システム、広告配信装置、広告配信方法、及びプログラムについて、図４〜図６を参照しながら説明する。
【００５０】
［システム構成］
最初に、図４を用いて、本実施の形態２における、広告配信システム２０、及び広告配信装置５の構成について説明する。図４は、本発明の実施の形態２における広告配信システムの構成を示すブロック図である。
【００５１】
図４に示すように、本実施の形態２における広告配信システム２０は、実施の形態１において図１に示した広告配信システム１０と異なり、複数の撮影装置４を備えている。また、本実施の形態２においては、各撮影装置４は、実施の形態１において図１に示した撮影装置２と異なり、装置情報付与部４１を備えている。
【００５２】
さらに、本実施の形態２における広告配信装置５は、位置特定部３２を備えていない点、出力方向特定部の機能の点、出力方向対応テーブル３３２に登録されている情報の内容の点で、実施の形態１において図１に示した広告配信装置３と異なっている。以下、実施の形態１との相違点を中心に説明する。
【００５３】
撮影装置４は、それぞれ異なるエリアを撮影できるように配置されている。また、装置情報付与部４１は、画像撮影部２１が撮影した撮影画像に、撮影装置４の装置情報を付与し、装置情報が付与された撮影画像を画像送信部２２に入力する。また、画像送信部２２は、装置情報が付与された撮影画像を広告配信装置５に送信する。本実施の形態２において、装置情報は、撮影装置４が複数ある場合に、その中から装置情報を付与した撮影装置４を一意に特定するための識別情報である。
【００５４】
また、本実施の形態２においては、出力方向対応テーブル３３２には、図１に示した出力方向テーブル３３１と異なり、予め、マルチビューディスプレイ１が画像を表示することができる出力方向と、各装置情報とが互いに対応付けられて登録されている。
【００５５】
そして、本実施の形態２においては、出力方向特定部３３は、複数の撮影装置４の中から、人物の撮影を行った撮影装置４を特定し、特定した撮影装置４に基づいて、人物に対応した出力方向を特定する。具体的には、出力方向特定部３３は、送信されてきた撮影画像に付与された装置情報を、出力方向テーブル３３２に照合することによって、出力方向を特定する。
【００５６】
このように、本実施の形態２では、撮影対象エリアが異なる複数台の撮影装置を用いて、広告の異なる出力方向をそれぞれ撮影できる。従って、撮影画像に付与された装置情報を特定できれば、広告を閲覧している人物（または広告を閲覧しようとしている人物）に最適な出力方向は、特定された装置情報から一意に決定される。よって、広告配信装置５では、実施の形態１と異なり、位置特定部３２は不要となる。
【００５７】
［システム動作］
次に、本発明の実施の形態２における広告配信システム２０の動作について図５を用いて説明する。図５は、本発明の実施の形態２における広告配信システムの動作を示すフロー図である。また、以下の説明においては、適宜図４を参酌する。また、本実施の形態２では、広告配信システムを動作させることによって、広告配信方法が実施される。よって、本実施の形態２における広告配信方法の説明は、以下の広告配信システム２０の動作説明に代える。
【００５８】
図５に示すように、まず、いずれかの撮影装置４の画像撮影部２１が、広告の周辺に存在する人物を撮影する（ステップＢ１）。但し、ステップＢ１では、実施の形態１において図２に示したステップＡ１と異なり、画像撮影部２１は、撮影画像を装置情報付与部４１に入力する。
【００５９】
次に、装置情報付与部４１は、撮影画像に装置情報を付与する（ステップＢ２）。また、装置情報付与部４１は、装置情報が付与された撮影画像を画像送信部２２に入力する。次に、画像送信部２２は、装置情報が付与された撮影画像を広告配信装置５に送信する（ステップＢ３）。
【００６０】
ステップＢ３が実行されると、広告配信装置３において、画像受信部３１が、撮影画像を受信する（ステップＢ４）。ステップＢ４は、実施の形態１において図２に示したステップＡ３と同様のステップである。
【００６１】
次に、出力方向特定部３３は、出力方向特定部３３は、ステップＢ４で受信された撮影画像に付与されている装置情報を抽出し、これを出力方向テーブル３３２に照合して、出力方向を特定する（ステップＢ５）。また、出力方向特定部３３は、出力方向を特定する出力方向データを生成し、これを広告配信部３６に入力する。
【００６２】
また、ステップＢ５と平行して、特徴特定部３４が、撮影画像から撮影された人物の特徴を特定する（ステップＢ６）。そして、広告特定部３５が、特定された人物の特徴に基づいて、広告データベース３５１から対応する広告を特定し、その広告データを取得する（ステップＢ７）。
【００６３】
なお、図５の例では、ステップＢ６及びＢ７は、ステップＢ５と並行して実行されているが、これに限定されるものではなく、ステップＢ６及びＢ７は、ステップＢ５の実行後、または実行前に実行されていても良い。
【００６４】
次に、広告配信部３６は、ステップＢ７で取得した広告データと、ステップＢ５で生成した出力方向データとを、マルチビューディスプレイ１に送信する（ステップＢ８）。なお、ステップＢ８は、実施の形態１において図２に示したステップＡ８と同様のステップである。
【００６５】
ステップＢ８が実行されると、マルチビューディスプレイ１の広告受信部１１が、広告データと出力方向データとを受信する（ステップＢ９）。そして、広告出力部１２は、受信した広告データの広告画像を、受信した出力方向データが特定する出力方向に向けて、表示する（ステップＢ１０）。なお、ステップＢ９及びＢ１０は、それぞれ、実施の形態１において図２に示したステップＡ９及びＡ１０と同様のステップである。
【００６６】
ここで、図６を用いて、本実施の形態２における広告配信システム２０の動作について更に具体的に説明する。図６は、本発明の実施の形態２における広告配信システムの動作の具体例を説明する説明図である。
【００６７】
図６に示すように、本実施の形態２においても、実施の形態１において図３に示した具体例と同様に、例えば、デュアルビューディスプレイ１が、出力方向Ｖ１と出力方向Ｖ２とに対して、それぞれ異なった広告を出力することができるとする。そして、撮影装置Ｃ１が、出力方向Ｖ１に出力された広告を閲覧することができるエリアを、撮影しており、撮影装置Ｃ２が、出力方向Ｖ２に出力された広告を閲覧することができるエリアを撮影しているとする。
【００６８】
このとき、出力方向Ｖ１の位置に男性会社員が存在し、出力方向Ｖ２の位置に女子学生が存在しているとする。撮影装置Ｃ１の装置情報付与部４１（図６において図示せず）は、男性会社員を撮影した撮影画像に、撮影装置Ｃ１の装置情報を付与する。また、撮影装置Ｃ２の装置情報付与部４１（図６において図示せず）は、女子学生が撮影された撮影画像に、撮影装置Ｃ２の装置情報を付与する。
【００６９】
そして、出力方向特定部３３は、撮影装置Ｃ１及びＣ２それぞれの装置情報に基づいて、各人物に最適な出力方向を特定する。図６の例では、出力方向特定部３３は、撮影装置Ｃ１に対応した出力方向Ｖ１と、撮影装置Ｃ２に対応した出力方向Ｖ２とを、それぞれ特定する。
【００７０】
また、広告特定部３５は、広告データベース３５１から、それぞれの特徴情報に対応した広告データを取得する。ここでは、広告特定部３５は、男性会社員の特徴情報に対応した広告データとして、住宅ローンに関する広告データを取得し、女子学生の特徴情報に対応した広告データとして、レディースファッションに関する広告データを取得する。
【００７１】
広告配信部３６は、取得された広告データ及び出力方向データを、マルチビューディスプレイ１に送信する。これにより、マルチビューディスプレイ１は、受信した出力方向データが特定する各出力方向に対して、受け取った広告データの広告画像を表示する。図６の例では、マルチビューディスプレイ１は、出力方向Ｖ１に向けて、住宅ローンの広告を表示し、出力方向Ｖ２に向けて、レディースファッションの広告を表示する。
【００７２】
［実施の形態２による効果］
以上のように、本実施の形態２では、複数の撮影装置を異なる位置に配置し、撮影画像にそれぞれの装置情報を付与することによって、人物の位置が特定され、そして、広告データを出力させるマルチビューディスプレイ１の出力方向が特定される。つまり、本実施の形態２では、マルチビューディスプレイ１の各出力方向それぞれに、撮影装置が配置され、各出力方向に対応する広告が表示される。このように、本実施の形態２によれば、マルチビューディスプレイ１の各出力方向それぞれに撮影装置を配置するだけで、位置特定部を用いずとも、広告を閲覧する人物が存在している出力方向を判別できる。
【００７３】
また、本発明の実施の形態２におけるプログラムは、コンピュータに、図５に示すステップＢ４〜Ｂ８を実行させるプログラムであれば良い。このプログラムをコンピュータにインストールし、実行することによって、本実施の形態１における広告配信装置５を実現することができる。この場合、コンピュータのＣＰＵ（Central Processing Unit）は、画像受信部３１、出力方向特定部３３、特徴特定部３４、広告特定部３５、及び広告配信部３６として機能し、処理を行なう。また、コンピュータに備えられたハードディスク等の記憶装置に、広告データベース３５１及び出力方向対応テーブル３３２が構築される。
【００７４】
ここで、実施の形態１及び２におけるプログラムを実行することによって、広告配信装置を実現するコンピュータについて図７を用いて説明する。図７は、本発明の実施の形態１または２における広告配信装置を実現するコンピュータの一例を示すブロック図である。
【００７５】
図７に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００７６】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００７７】
また、記憶装置１１３の具体例としては、ハードディスクの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００７８】
また、記録媒体１２０の具体例としては、ＣＦ（Compact Flash）及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【００７９】
上述した実施の形態の一部又は全部は、以下に記載する（付記１）〜（付記１６）によって表現することができるが、以下の記載に限定されるものではない。
【００８０】
（付記１）
複数の出力方向それぞれに向けて異なる画像を表示可能なマルチビューディスプレイと、前記マルチビューディスプレイの周辺に存在する人物を撮影する撮影装置と、広告配信装置とを備え、
前記広告配信装置は、前記撮影装置によって得られた撮影画像から特定される前記人物の位置に基づいて、前記人物に対応した前記出力方向を特定し、
前記マルチビューディスプレイは、前記広告配信装置が特定した出力方法に向けて広告を表示する、
ことを特徴とする広告配信システム。
【００８１】
（付記２）
前記広告配信装置が、更に、前記撮影装置によって得られた撮影画像から特定される前記人物の特徴に基づいて、予め用意されている広告の中から、前記人物に対応する広告を特定し、
前記マルチビューディスプレイが、前記広告配信装置が特定した出力方法に向けて、前記広告配信装置が特定した前記広告を表示する、
付記１に記載の広告配信システム。
【００８２】
（付記３）
撮影された前記人物が複数人である場合に、
前記広告配信装置が、人物毎に、前記出力方向及び前記広告を特定し、
前記マルチビューディスプレイが、前記広告配信装置が特定した各出力方法に向けて、前記広告配信装置が特定した各広告を表示する、
付記２に記載の広告配信システム。
【００８３】
（付記４）
当該広告配信システムが、複数の撮影装置を備え、
前記複数の撮影装置は、それぞれ、異なる位置に存在する前記人物を撮影可能に配置されており、
前記広告配信装置が、前記複数の撮影装置の中から、前記人物の撮影を行った撮影装置を特定し、特定した撮影装置に基づいて、前記人物に対応した前記出力方向を特定する、
付記１から３のいずれかに記載の広告配信システム。
【００８４】
（付記５）
複数の出力方向それぞれに向けて異なる画像を表示可能なマルチビューディスプレイに広告を配信する、広告配信装置であって、
前記マルチビューディスプレイの画面を閲覧する人物の撮影画像から特定される前記人物の位置に基づいて、前記人物に対応した前記出力方向を特定する、出力方向特定部と、
前記マルチビューディスプレイに、特定した前記出力方向を特定する出力方向データを送信する、広告配信部と、
を備えている、ことを特徴とする広告配信装置。
【００８５】
（付記６）
前記人物の撮影画像から特定される前記人物の特徴に基づいて、予め用意されている広告の中から、前記人物に対応する広告を特定する、広告特定部を更に備え、
前記広告配信部が、前記マルチビューディスプレイに、前記出力方向データに加えて、特定した前記広告のデータを送信し、特定した前記出力方向に向けて、特定した前記広告を表示させる、付記６に記載の広告配信装置。
【００８６】
（付記７）
撮影された前記人物が複数人である場合に、
前記出力方向特定部が、人物毎に、前記出力方向を特定し、
前記広告特定部が、人物毎に、前記広告を特定する、
付記６に記載の広告配信装置。
【００８７】
（付記８）
前記人物の撮影画像が、異なる位置に存在する前記人物を撮影可能に配置された複数の撮影装置のいずれかから、得られており、
前記出力方向特定部が、前記複数の撮影装置の中から、前記人物の撮影を行った撮影装置を特定し、特定した撮影装置に基づいて、前記人物に対応した前記出力方向を特定する、
付記５から７のいずれかに記載の広告配信装置。
【００８８】
（付記９）
複数の出力方向それぞれに向けて異なる画像を表示可能なマルチビューディスプレイに広告を配信するための、広告配信方法であって、
（ａ）前記マルチビューディスプレイの画面を閲覧する人物の撮影画像から特定される前記人物の位置に基づいて、前記人物に対応した前記出力方向を特定する、ステップと、
（ｂ）前記マルチビューディスプレイに、前記（ａ）のステップで特定した前記出力方向を特定する出力方向データを送信する、ステップと、
を有する、ことを特徴とする広告配信方法。
【００８９】
（付記１０）
（ｃ）前記人物の撮影画像から特定される前記人物の特徴に基づいて、予め用意されている広告の中から、前記人物に対応する広告を特定する、ステップを更に有し、
前記（ｂ）のステップにおいて、前記マルチビューディスプレイに、前記出力方向データに加えて、前記（ｃ）のステップで特定した前記広告のデータを送信する、
付記９に記載の広告配信方法。
【００９０】
（付記１１）
撮影された前記人物が複数人である場合に、
前記（ａ）のステップにおいて、人物毎に、前記出力方向を特定し、
前記（ｃ）のステップにおいて、人物毎に、前記広告を特定する、
付記１０に記載の広告配信方法。
【００９１】
（付記１２）
前記人物の撮影画像が、異なる位置に存在する前記人物を撮影可能に配置された複数の撮影装置のいずれかから、得られており、
前記（ａ）のステップの代わりに、前記複数の撮影装置の中から、前記人物の撮影を行った撮影装置を特定し、特定した撮影装置に基づいて、前記人物に対応した前記出力方向を特定する、ステップを有する、
付記９から１１に記載の広告配信方法。
【００９２】
（付記１３）
コンピュータによって、複数の出力方向それぞれに向けて異なる画像を表示可能なマルチビューディスプレイに広告を配信するための、プログラムであって、
前記コンピュータに、
（ａ）前記マルチビューディスプレイの画面を閲覧する人物の撮影画像から特定される前記人物の位置に基づいて、前記人物に対応した前記出力方向を特定する、ステップと、
（ｂ）前記マルチビューディスプレイに、前記（ａ）のステップで特定した前記出力方向を特定する出力方向データを送信する、ステップと、
を実行させるプログラム。
【００９３】
（付記１４）
（ｃ）前記人物の撮影画像から特定される前記人物の特徴に基づいて、予め用意されている広告の中から、前記人物に対応する広告を特定する、ステップを更に前記コンピュータに実行させ、
前記（ｂ）のステップにおいて、前記マルチビューディスプレイに、前記出力方向データに加えて、前記（ｃ）のステップで特定した前記広告のデータを送信する、
付記１３に記載のプログラム。
【００９４】
（付記１５）
撮影された前記人物が複数人である場合に、
前記（ａ）のステップにおいて、人物毎に、前記出力方向を特定し、
前記（ｃ）のステップにおいて、人物毎に、前記広告を特定する、
付記１４に記載のプログラム。
【００９５】
（付記１６）
前記人物の撮影画像が、異なる位置に存在する前記人物を撮影可能に配置された複数の撮影装置のいずれかから、得られており、
前記（ａ）のステップの代わりに、前記複数の撮影装置の中から、前記人物の撮影を行った撮影装置を特定し、特定した撮影装置に基づいて、前記人物に対応した前記出力方向を特定する、ステップを、前記コンピュータに実行させる、
付記１３から１５に記載のプログラム。
【産業上の利用可能性】
【００９６】
以上のように、本発明によれば、マルチビューディスプレイを利用した広告を行う場合に、閲覧者の位置に応じて、その方向に向けて最適な広告を表示することができる。本発明は、デジタルサイネージの分野に有用である。
【符号の説明】
【００９７】
１  マルチビューディスプレイ
２  撮影装置（実施の形態１）
３  広告配信装置（実施の形態１）
４  撮影装置（実施の形態２）
５  広告配信装置（実施の形態２）
１０  広告配信システム（実施の形態１）
１１  広告受信部
１２  広告出力部
２０  広告配信システム（実施の形態２）
２１  画像撮影部
２２  画像送信部
３１  画像受信部
３２  位置特定部
３３  出力方向特定部
３４  特徴特定部
３５  広告特定部
３６  広告配信部
４１  装置情報付与部
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
３５１  広告データベース
３３１  出力方向対応テーブル（実施の形態１）
３３２  出力方向対応テーブル（実施の形態２）
【図１】
2012181328.tif 000003
【図２】
2012181328.tif 000004
【図３】
2012181328.tif 000005
【図４】
2012181328.tif 000006
【図５】
2012181328.tif 000007
【図６】
2012181328.tif 000008
【図７】
2012181328.tif 000009